(57)【要約】画像取り込み技法について記載する。実施態様では、計算デバイスの画像取り込みデバイスによって、この計算デバイスの第１ディスプレイ・デバイスの表面上に置かれた物体の画像が取り込まれる。計算デバイスは、第１ディスプレイ・デバイスを含む第１筐体と、この第１筐体に回転可能に取り付けられており、第２ディスプレイ・デバイスを含む第２筐体とを含む。取り込まれた画像は、第１ディスプレイ・デバイスまたは第２ディスプレイ・デバイスのうち少なくとも１つにおいて表示される。【選択図】図１
2013528037.tif 000002
【特許請求の範囲】
【請求項１】
計算デバイスの画像取り込みデバイスによって、前記計算デバイスの第１ディスプレイ・デバイスの表面上に置かれた物体の画像を取り込むステップであって、前記計算機デバイスが、
前記第１ディスプレイ・デバイスを含む第１筐体と、
前記第１筐体に回転可能に取り付けられ、第２ディスプレイ・デバイスを含む第２筐体と、
を有する、ステップと、
前記第１ディスプレイ・デバイスまたは前記第２ディスプレイ・デバイスのうち少なくとも１つにおいて、前記取り込んだ画像を表示するステップと、
を含む、方法。
【請求項２】
請求項１記載の方法において、前記表示するステップが、前記画像を取り込むために前記物体が置かれた場所に対応する、前記第１ディスプレイ・デバイス上の位置において、前記取り込まれ表示される画像を表示するように実行される、方法。
【請求項３】
請求項２記載の方法において、前記表示するステップが、前記取り込まれ表示される画像が、前記物体のサイズと概ね一致するサイズを有するものとして表示されるように実行される、方法。
【請求項４】
請求項１記載の方法において、前記表示するステップが、前記取り込まれ表示される画像が前記第２ディスプレイ・デバイスにおいて表示されるように実行される、方法。
【請求項５】
請求項４記載の方法において、前記表示が、前記第１ディスプレイ・デバイスの表面上に前記物体が位置付けられると供給されるリアル・タイム・プレビューを含む、方法。
【請求項６】
請求項１記載の方法であって、更に、前記計算デバイスによって、前記取り込まれた画像の遠近感を補正するステップを含む、方法。
【請求項７】
請求項６記載の方法において、前記遠近感が、前記取り込まれた画像が、前記画像取り込みデバイスの撮像面に対して平行な平面において取り込まれたかに見えるように補正される、方法。
【請求項８】
請求項１記載の方法であって、更に、前記計算デバイスによって、前記取り込まれた画像の奥行きを補正するステップを含む、方法。
【請求項９】
計算デバイスによって物体の画像を取り込むために前記物体を位置付けるべきエリアを記述するフレームを、前記計算デバイスの外側の表面上に投射するステップと、
画像取り込みデバイスを使用して、前記計算デバイスによって前記画像を取り込むステップと、
を含む、方法。
【請求項１０】
請求項９記載の方法において、前記投射するステップが、前記計算デバイスのレーザーを使用して実行される、方法。
【請求項１１】
請求項９記載の方法であって、更に、前記計算デバイスによって、前記取り込まれた画像の奥行きを補正するステップを含む、方法。
【請求項１２】
請求項９記載の方法であって、更に、前記計算デバイスによって、前記取り込まれた画像の遠近感を補正するステップを含む、方法。
【請求項１３】
請求項１２記載の方法において、前記取り込まれた画像が、前記画像取り込みデバイスの撮像面に対して平行な平面において取り込まれたかに見えるように、前記遠近感が補正される、方法。
【請求項１４】
計算デバイスであって、
第１ディスプレイ・デバイスを含む第１筐体と、
前記第1筐体に回転可能に取り付けられた第２筐体であって、第２ディスプレイ・デバイスと画像取り込みデバイスとを含む、第２筐体と、
前記第１または第２筐体の少なくとも１つの中に配置された１つ以上のモジュールであって、前記画像取り込みデバイスを使用して、前記第１ディスプレイ・デバイスの表面上に置かれた物体の画像を取り込み、前記取り込んだ画像を前記第２ディスプレイ・デバイスにおいてリアル・タイムで表示させるように構成された、１つ以上のモジュールと、
を含む、計算デバイス。
【請求項１５】
請求項１４記載の計算デバイスにおいて、前記１つ以上のモジュールが、更に、前記取り込まれた画像の遠近感を補正するように構成された、計算デバイス。
【発明の詳細な説明】
【従来技術】
【０００１】
[0001]  ユーザーは、日常生活において多種多様の情報を含む紙(paper)を扱っている。例えば、事務所のユーザーは、名刺、領収書、切符、製品文書、日程計画情報、確認書等を受け取ることがある。同様に、自宅のユーザーも、領収書を扱い、子供に関与する書面の報告書を受け取り、書面の買い物リストが与えられる等があり得る。
【発明の概要】
【発明が解決しようとする課題】
【０００２】
その結果、この種々の紙を維持することが人には困難になることがあり、ユーザーはこれらの紙片のいくつかを無くしたり、紙が損傷する等となる虞れがある。
【課題を解決するための手段】
【０００３】
[0002]  画像取り込み技術について記載する。実施態様では、計算デバイスの第１ディスプレイ・デバイスの表面上に置かれた物体の画像が、この計算デバイスの画像取り込みデバイスによって取り込まれる。この計算デバイスは、第１ディスプレイ・デバイスを含む第１筐体と、第１筐体に回転可能に取り付けられ、第２ディスプレイ・デバイスを含む第２筐体とを含む。取り込まれた画像は、第１ディスプレイ・デバイスまたは第２ディスプレイ・デバイスのうち少なくも１つにおいて表示される。
【０００４】
[0003]  実施態様では、計算デバイスの外側の表面上にフレームが投射され、このフレームは、計算デバイスによって物体の画像を取り込むために、その物体を配置すべきエリアを記述する。この画像は、画像取り込みデバイスを使用して、計算デバイスによって取り込まれる。
【０００５】
[0004]  実施態様では、計算デバイスは、第１ディスプレイ・デバイスを含む第１筐体と、第２筐体とを含む。第２筐体は、回転可能に第１筐体に取り付けられており、第２ディスプレイ・デバイスと画像取り込みデバイスとを含む。１つ以上のモジュールが、第１または第２筐体のうち少なくとも１つの中に配置され、これらのモジュールは、画像取り込みデバイスを使用して、第１ディスプレイ・デバイスの表面上に置かれた物体の画像を取り込み、取り込まれた画像が第２ディスプレイ・デバイスにおいてリアル・タイムで表示させるように構成されている。
【０００６】
[0005]  この摘要は、詳細な説明の章において以下で更に説明する概念から選択したものを紹介するために、設けられている。この摘要は、特許請求する主題の主要な特徴や必須の特徴を特定することを意図するのではなく、特許請求する主題の範囲を判断する際に補助として使用されることも意図していない。
【図面の簡単な説明】
【０００７】
[0006]  添付図面を参照しながら、詳細な説明を記載する。図面では、参照番号のうち一番左側にある数字（１つまたは複数）は、その参照番号が最初に現れる図を特定する。説明および図における異なるところに同じ参照番号が使用されている場合は、同様の項目または同一の項目を示すことがある。
【図１】図１は、画像取り込み技術を採用するように動作可能な実施態様例における環境の図である。
【図２】図２は、第２ディスプレイ・デバイスに表示されている物体の画像のリアル・タイム・プレビューを示す例の図であり、この物体は図１の計算デバイスの第１ディスプレイ・デバイス上に置かれている。
【図３】図３は、図１の計算デバイスの第１ディスプレイ・デバイス上に置かれた物体の取り込み画像が、第１ディスプレイ・デバイスによっても表示されるシステム例の図である。
【図４】図４は、物体の画像を取り込むときにその物体を置くエリアを示すために、図１の計算デバイスの外側にフレームが投射されるシステム例の図である。
【図５】図５は、プレゼンテーション表示姿勢を取り、物体の画像を取り込むことができるエリアを示すためにフレームを投射するものとして、図１の計算デバイスが示されているシステム例の図である。
【図６】図６は、ラップトップの姿勢を取り、物体の画像を取り込むことができるエリアを示すためにフレームを投射するものとして、図１の計算デバイスが示されているシステム例の図である。
【図７】図７は、計算デバイスのディスプレイ・デバイス上に置かれた物体の画像が取り込まれる実施態様例における手順を示す流れ図である。
【図８】図８は、物体の画像を取り込むことができるエリアを示すために、フレームが投射される実施態様例における手順を示す流れ図である。
【図９】図９は、計算デバイス例の種々のコンポーネントを更に詳細に示す。
【発明を実施するための形態】
【０００８】
全体像
[0016]  ユーザーは、種々の画像を取り込むために、計算デバイス、更に特定すれば、計算デバイスの画像取り込みデバイスを使用することができる。例えば、ユーザーは、画像取り込みデバイスを使用して、写真を撮ることができる。しかしながら、画像を取り込むために従前からの計算デバイスを使用すると、主題の構図を決め、十分な品質を有する画像を取り込むために十分な時間画像取り込みデバイスを「静止」させておき、撮影しようとする物体に対して画像取り込みデバイスの撮像面を平行に保つことが、ユーザーには難しい場合もある。
【０００９】
[0017]  画像取り込み技法について記載する。実施態様では、計算デバイスが、この計算デバイスに隣接する表面上にフレームを投射する（例えば、レーザーによって）ように構成されている。このフレームは、画像を取り込むべきエリアを記述するために使用することができ、取り込むべき物体の画像に対して、この物体を「どこ」に位置付ければよいかユーザーに容易に確認させることができる。次いで、画像取り込みデバイスによって画像を取り込み、計算デバイスのディスプレイ・デバイスにおける表示のために処理する（例えば、歪み補正）ことができる。フレームを投射する種々の他の例も考えられ、これらについてのこれ以上の論述は、図４から図６および図８に関して見いだすことができる。
【００１０】
[0018]  追加の実施態様では、計算デバイスはデュアル・ディスプレイ・デバイスとして構成することもできる。例えば、計算デバイスが第１および第２筐体を有することもでき、各々、回転可能に取り付けられた、対応するディスプレイ・デバイスを有する。画像取り込みの対象となるべき物体は、これらの筐体の一方の表面上に置くことができ、そして画像を取り込むことができる。しかしながら、このデュアル・ディスプレイ・デバイスの使用によって、画像取り込みに関して種々の機能を使用することができる。例えば、ユーザーが物体を位置付けるのを助けるため、および画像取り込みのリアル・タイム・ビューを提供するためというように、取り込まれた画像が、リアル・タイムで他のディスプレイ・デバイス（その表面上には物体が置かれていない）に表示されてもよい。他の例では、取り込まれた画像が、物体が置かれたディスプレイ・デバイス上に「残って」、この物体を動かした後に、取り込まれた画像がその物体がディスプレイ・デバイス上で置かれていたところに表示されるようにしてもよい。デュアル・ディスプレイ・デバイスの画像取り込み技法には、種々の他の例も考えられるが、これ以上の論述は、図２および図３ならびに図７に関して見いだすことができる。
【００１１】
[0019]  以下の論述では、最初に、本明細書において説明する画像取り込み技法を採用するように動作することができる環境例について説明する。次いで、画像を取り込むために異なる姿勢を取る計算デバイスの手順例および図示例について説明する。これらは、先の環境例および他の環境において使用することができる。したがって、この環境例は、前述の手順例を実行することに限定されるのではない。同様に、これらの手順例も、前述の環境例における実施や、前述の計算デバイス例による実行に限定されるのではない。
環境例
[0020]  図１は、画像取り込み技法を採用するように動作することができる実施態様例における環境１００の図である。図示されている環境１００は、種々の方法で構成することができる計算デバイス１０２の一例を含む。例えば、計算デバイス１０２は、従前からのコンピューター（例えば、デスクトップ・パーソナル・コンピューター、ラップトップ・コンピューター等）、移動局、娯楽機器、テレビジョンに通信可能に結合されているセット・トップ・ボックス、ワイヤレス電話機、ネットブック、ゲーム・コンソール等として構成することができる。これについては、図２から図６および図９に関して更に説明する。つまり、計算デバイス１０２は、大量のメモリーおよびプロセッサー・リソースを有する最大リソース・デバイス（例えば、パーソナル・コンピューター、ゲーム・コンソール）から、メモリーおよび／またはプロセッサー・リソースが限られている低リソース・デバイス（例えば、従前からのセット・トップ・ボックス、ハンド・ヘルド・ゲーム・コンソール）までの範囲を含むことができる。
【００１２】
[0021]  計算デバイス１０２には、１つ以上のセンサー、プロセッサー、通信コンポーネント、データー入力、メモリー・コンポーネント、処理および制御回路、一体化ディスプレイ・デバイス、および／またはコンテンツ・レンダリング・デバイスを装備することができる。また、計算デバイス１０２には、図９に示すデバイス例を参照して説明するような、任意の数および組み合わせの異なるコンポーネントも装備することができる。環境例１００では、計算デバイス１０２は、ＬＣＤ、ＯＬＥＤ等のような少なくとも２つの一体化ディスプレイ・デバイス、または他の同様のディスプレイ・システムを含む移動体デュアル・ディスプレイ計算デバイスとして実現されている。
【００１３】
[0022]  図示のように、計算デバイス１０２は、一体化第１ディスプレイ１０８を含む第１筐体１０６を有する。また、計算デバイス１０２は、一体化第２ディスプレイ１１２を含む第２筐体１１０も有する。合体システム１１４も含まれており（蝶番、転心等のような回転可能なメカニズム）、合体システム１１４は第１筐体１０６を第２筐体１１０に移動可能に接続する。一実施形態では、合体システム１１４は、多軸蝶番として実現することができ、第２筐体１１０に対して少なくとも２つの異なる方向に回転するように、第１筐体１０６を移動可能に接続する。あるいはまたは加えて、合体システム１１４は、図１から図６に示すような、１つ以上の種々の表示姿勢で第１筐体１０６および／または第２筐体１１０を位置付ける内部駆動メカニズムを含むこともできる。あるいはまたは加えて、合体システム１１４は、以下で更に説明するように、種々の相対的な姿勢にこれら２つの半体を保持するために機械的に位置付けられた受動的な爪を含むこともできる。
【００１４】
[0023]  図１に示すように、例えば、第１ディスプレイ１０８および第２ディスプレイ１１２は、ラップトップ表示姿勢を取るために、横長モードで表示するように位置付けられている。この姿勢では、第１ディスプレイと第２ディスプレイとの間の位置角度は、１８０度（１８０°）未満となる。この表示構成は、ラップトップ・コンピューターが一般に用いられる場合に似ており、一実施態様では、第１ディスプレイ・デバイス１０８はタッチ・スクリーン・キーボードを表示するために利用することができ、第２ディスプレイ・デバイス１１２は、アプリケーションまたは他のタイプのユーザー・インターフェースを表示することができる。
【００１５】
[0024]  図４のシステム例４００において示されるような三脚姿勢では、第１筐体１０６の第１ディスプレイ・デバイス１０８および第２筐体１１２の第２ディスプレイ・デバイス（図示せず）は、縦長モードで表示するように位置付けられており、第１筐体１０６および第２筐体１１０のディスプレイ・デバイス間の位置角度は、１８０度（１８０°）未満となる。この表示構成は、読むために開かれた書籍に似ている（ディスプレイ・デバイスは書籍のカバーのように示されている）。
【００１６】
[0025]  図５のシステム例５００に示されるようなプレゼンテーション表示姿勢では、第１筐体１０６の第１ディスプレイ１０８および第２筐体１１０の第２ディスプレイ（図示せず）は、ほぼ対向する方向に表示するように位置付けられており、第１および第２ディスプレイ間の位置角度は、１８０度（１８０°）よりも大きく、３６０度（３６０°）よりは小さい。この表示構成は、デバイスが机の上に置かれているときのように、写真を表示するために使用することができ、および／または互いに向かい合って座っているユーザー間にディバイダー(divider)を設ける。第１ディスプレイ１０８および第２ディスプレイ１１２は、この例に示されるように、横長モードで表示するように位置付けることができる。あるいは、第１ディスプレイ１０８および第２ディスプレイ１１２は、図４のシステム例４００に示されるように、縦長モードで表示するように位置付けることもできる。また、種々の他の姿勢も考えられ、したがって、これらの例は網羅的なリストとして捕らえてはならない。
【００１７】
[0026]  図１に戻って、計算デバイス１０２は、更に、画像取り込みモジュール１１６を含むように示されている。画像取り込みモジュール１１６は、画像取り込み技法に関する計算デバイス１０２の機能を代表する。例えば、画像取り込みモジュール１１６は、第１ディスプレイ・デバイス１０８の表面上に置かれた物体１２０の画像を取り込むために、画像取り込みデバイス１１８を使用することができる。図１には、物体１２０の画像の取り込みを示すために、画像取り込みデバイス１１８から物体１２０まで、点線が描かれている。画像取り込みデバイス１１８は、他のユーザーと「共有する」（例えば、ビデオ会議のため）、専用デバイスとして実装する等というように、種々の方法で実現することができる。画像取り込みモジュール１１６によって、種々の異なる画像取り込み技法を使用することができる。これらの技法の更なる論述は、以下の図に関して見いだすことができる。
【００１８】
[0027]  一般に、本明細書において記載される機能のうち任意のものは、ソフトウェア、ファームウェア、ハードウェア（例えば、固定の論理回路）、またはこれらの実施態様の組み合わせを使用して実現することができる。「モジュール」、「機能」、および「ロジック」という用語は、本明細書において用いられる場合、一般に、ソフトウェア、ファームウェア、ハードウェア、またはその組み合わせを表す。ソフトウェアの実施態様の場合、モジュール、機能、またはロジックは、プログラム・コードを表し、このプログラム・コードが処理システム（例えば、ＣＰＵまたは複数のＣＰＵ）において実行されると、指定されたタスクを実行する。プログラム・コードは、１つ以上のコンピューター読み取り可能メモリー・デバイスに格納することができる。以下で説明する画像取り込み技法の特徴は、プラットフォームに依存しないということであり、これが意味するのは、種々のプロセッサーを有する種々の市販の計算プラットフォームにおいて、本技法を実現できるということである。
【００１９】
[0028]  図２は、第２ディスプレイ・デバイスに、物体の画像のリアル・タイム・プレビューが提供される実施態様例におけるシステム２００を示し、この物体は第１ディスプレイ・デバイス上に置かれている。図１と同様、この例では、物体１２０が第１ディスプレイ・デバイス１０８の表面上に置かれている。この例では、物体１２０は紙製の車の写真である。
【００２０】
[0029]  物体１２０の画像２０２は、画像取り込みデバイス１１８によって取り込まれ、第２筐体１１０の一部として含まれている第２ディスプレイ１１２において表示される。実施態様では、画像２０２は、第１ディスプレイ・デバイス１０８の表面上に位置付けられた物体１２０の、現在取り込むことができる画像のリアル・タイム・プレビューとして、画像取り込みモジュール１１６によって与えることができる。
【００２１】
[0030]  このように、ユーザーは、物体１２０の位置を直し、画像２０２の設定（例えば、ズーム）等を指定し、画像２０２に対するこれらの変更の効果についてリアル・タイムで知らされることができる。次いで、一旦計算デバイス１０２のユーザーによって画像２０２が容認可能であると見なされると、画像２０２を「取り込む」ためにユーザー・インターフェースの部分２０４を選択することによるというようにして、ユーザーは、計算デバイス１０２のメモリー・デバイスに格納するために、画像２０２を取り込ませることができる。
【００２２】
[0031]  また、画像取り込みモジュール１１６は、画像２０２を処理するために種々の機能を使用することができる。例えば、画像取り込みモジュール１１６は、歪み補正モジュール２０６によってというようにして、遠近感を補正する機能（例えば、自動的に、そしてユーザーの介入なしに）を含むことができる。歪み補正モジュール２０６は、画像取り込みデバイス１１８の撮像面に対して平行でない物体によって生ずる歪みを補正する機能を表す。したがって、画像取り込みデバイス１１８の撮像面に対してある角度をなして平面に物体が置かれていても、画像２０２を補正して、図２における画像２０２によって示されるように、物体１２０が平行であるかのように見せることができる。
【００２３】
[0032]  他の例では、画像取り込みモジュール１１６は、奥行き補正モジュール２０８を含むように示されている。奥行き補正モジュール２０８は、自動的にそしてユーザーの介入なく、奥行きを補正する計算デバイス１０２の機能を表す。例えば、奥行き補正モジュール２０８は、物体１２０の画像２０２を「満たす」ために、ズーミング技法を使用することができる。種々の他の例も考えられる。このシステム２００では、第２ディスプレイ・デバイス１１２における画像２０２の表示を記述したが、物体１２０の画像を表示するためには、第１ディスプレイ・デバイス１０８を使用することもでき、その一例は、以下の図に関して見いだすことができる。
【００２４】
[0033]  図３は、図１の計算デバイスの第１ディスプレイ・デバイス上に置かれた物体を取り込んだ画像が、第１ディスプレイ・デバイスによっても表示される実施態様例におけるシステム３００を示す。システム例３００は、画像取り込みシナリオの第１および第２段階３０２、３０４を含む。第１段階３０２において、物体１２０が第１ディスプレイ・デバイス１０８の表面上に置かれる。また、画像取り込みデバイス１１８も、物体１２０の画像を取り込むものとして示されている（破線の使用によって）。
【００２５】
[0034]  第２段階３０４では、第１段階３０２において取り込まれた画像３０６が、第１筐体１０６の第１ディスプレイ・デバイス１０８によって表示される。１つ以上の実施態様では、画像３０６は、画像３０６が取り込まれたときに物体１２０が第１ディスプレイ・デバイス１０８上に置かれた「様子」に似せたサイズおよび位置を有する。このため、第２段階３０４に示されるように、物体１２０を取り去った後、画像３０６は第１ディスプレイ・デバイス１０８上に「残っている」ように見える。
【００２６】
[0035]  尚、これは種々の考えられる例のうちの１つに過ぎず、本明細書において記載される例を組み合わせたり（例えば、図２のリアル・タイム・プレビューと）または更に分離することもできることは、容易に分かるはずである。以上の例では、第１ディスプレイ・デバイスの表面上に置かれた物体の画像の取り込みについて説明したが、画像は種々の他の方法でも取り込むことができ、その例については、以下の図と関連して論ずる。
【００２７】
[0036]  図４は、物体の画像を取り込むときにその物体を置くべきエリアを示すために、図１の計算デバイス１０２の外側にフレームを投射する実施態様例におけるシステム４００を示す。既に説明したように、第１および第２筐体１０６、１１０は、このシステム例４００では三脚姿勢で位置付けられている。この姿勢では、第１筐体１０６の第１ディスプレイ・デバイス１０８、および第２筐体１１２の第２ディスプレイ・デバイス（図示せず）は縦長モードで表示するように位置付けられている。加えて、第１筐体１０６および第２筐体１１０のディスプレイ・デバイス間の位置角度は、１８０度（１８０°）未満になっている。この表示構成は、読むために開かれた書籍に似ている（ディスプレイ・デバイスが書籍のカバーの役割を果たす）。
【００２８】
[0037]  計算デバイス１０２は、更に、フレーム投射モジュール４０２を含むものとして示されている。フレーム投射モジュール４０２は、計算デバイス１０２が置かれる表面のような、計算デバイス１０２の外側でこれに隣接する表面上にフレーム４０４を投射する計算デバイス１０２の機能を表す。フレーム４０４は、画像取り込みデバイス１１８の近くに位置付けられた１つ以上のレーザーの使用によるというような、種々の異なる技法を使用して投射することができる。
【００２９】
[0038]  実施態様では、フレーム４０４は、物体１２０の画像を取り込むために物体１２０を置くべきエリアを示すように構成されている。このように、ビューファインダーを覗くことなく、また第１および第２ディスプレイ・デバイス１０８、１１２の１つ以上に表示されるかもしれない画像のプレビューを見ることすらしないで、画像取り込みで得られそうな成果についてユーザーに容易に伝えることができる。
【００３０】
[0039]  少なくとも１つの実施態様では、フレーム４０４は、１つ以上の制御（例えば、物理的および／またはユーザー・インターフェースを介した）との対話処理によって、ユーザーによってそのサイズおよび／または形状が調節可能である。したがって、この情報は、ユーザーによって望まれる画像の寸法を示し、これらの寸法を有する画像を取り込むために、画像取り込みモジュール１１６によって使用することができる。加えて、この情報は、投射されたフレーム４０４に基づいて、歪み補正、奥行き補正等のような種々の他の機能を設けるためにも使用することができる。計算デバイス１０２は三脚姿勢でフレーム４０４を投射するものとして示されているが、フレーム４０４を投射し画像１２０を取り込むには、計算デバイス１０２が種々の他の姿勢を取ることもできる。
【００３１】
[0040]  図５は、図１の計算デバイス１０２が、プレゼンテーション表示姿勢を取り、物体の画像を取り込むことができるエリアを示すためにフレームを投射するものとして示されている、実施態様例におけるシステム５００を示す。プレゼンテーション表示姿勢では、第１および第２筐体１０６、１１０は、ほぼ対向する方向に表示するように位置付けられている。この表示構成は、計算デバイス０１２が机の上に置かれているときのように、表面上に表示されたフレーム４０４内において取り込まれた画像のプレビュー(previous)を表示するために使用することができ、および／または互いに向かい合って座っているユーザー間に仕切りを設ける。第１ディスプレイ１０８および第２ディスプレイ１１２は、この例において示されるように、横長モードで表示するように位置付けることができる。
【００３２】
[0041]  図６は、図１の計算デバイスが、ラップトップ姿勢を取り、物体の画像を取り込むことができるエリアを示すためにフレームを投射するものとして示されているシステム例６００の図である。この例では、フレーム４０４は、表面上に投射され、第２ディスプレイ・デバイス１１２が配置されている側に対向する第２筐体１１０の側に位置付けられている。また、本発明の主旨および範囲から逸脱することなく、計算デバイス１０２の姿勢およびフレーム４０４の配置には種々のものが考えられる。
手順例
[0042]  以下の論述では、既に説明したシステムおよびデバイスを利用して実現することができる画像取り込み技法について説明する。手順の各々の態様は、ハードウェア、ファームウェア、ソフトウェア、またはその組み合わせによって実現することができる。これらの手順は、１つ以上のデバイスによって実行される動作を指定する１組のブロックとして示されるが、それぞれのブロックによって動作を実行するために示される順序には必ずしも限定されない。以下の論述の一部では、図１の環境１００および図２から図６のシステム２００〜６００を参照する場合もある。
【００３３】
[0043]  図７は、計算デバイスのディスプレイ・デバイス上に置かれた物体の画像を取り込む実施態様例における手順７００を示す。計算デバイスの第１ディスプレイ・デバイスの表面に置かれた物体の画像が、この計算デバイスの画像取り込みデバイスによって取り込まれる（ブロック７０２）。例えば、物体１２０は、計算デバイスがラップトップ姿勢にある間、第１ディスプレイ・デバイス１０８の表面上に置かれていればよい。
【００３４】
[0044]  取り込まれた物体の遠近感が補正される（ブロック７０４）。例えば、画像取り込みモジュール１１６は、歪み補正モジュール２０６を使用して歪みを補正し、奥行き補正モジュール２０８を使用して奥行きを補正する等を行うことができる。
【００３５】
[0045]  取り込まれた画像は、第１ディスプレイ・デバイスまたは第２ディスプレイ・デバイスのうち少なくとも１つに表示される（ブロック７０６）。図２に示すように、例えば、取り込まれた画像２０２は、第２ディスプレイ・デバイス１１２におけるリアル・タイム・プレビューの一部として表示することができる。図３に示すように、画像３０６は、第１ディスプレイ・デバイス１０８上で「残存する」ように表示することもできる。図４〜図６に示す表示のように、他の姿勢にあるときの第１または第２ディスプレイ・デバイス１０８、１１２における表示というように、種々の他の例も考えられる。
【００３６】
[0046]  図８は、物体の画像を取り込むことができるエリアを示すためにフレームが投射される実施態様例における手順８００を示す。計算デバイスの外側の表面上に、計算デバイスによって物体の画像を取り込むために物体を置くべきエリアを記述するフレームが投射される（ブロック８０２）。例えば、計算デバイス１０２は、図４の三脚姿勢、図５のプレゼンテーション姿勢、図６のラップトップ姿勢等に配置することができる。この表面は、計算機１０２が位置付けられる表面、隣接する表面等を含むことができる。
【００３７】
[0047]  画像取り込みデバイスを使用して、計算デバイスによって画像が取り込まれる（ブロック８０４）。取り込まれた画像は、次に、第１ディスプレイ・デバイスまたは第２ディスプレイ・デバイスのうち少なくとも１つにおいて表示される（ブロック８０６）。以前と同様、計算デバイス１０２のメモリーに取り込まれるときのプレビュー（例えば、リアル・タイム）等のように、種々の異なる方法で画像を表示することができる。これらの技法は、デュアル・スクリーン・デバイスに関して説明されたが、単一スクリーン・デバイスというような、多種多様のデバイス構成も考えられることは容易に分かるはずである。
デバイス例
[0048]  図９は、本明細書において説明した画像取り込み技法の実施形態を実現するために、図１〜図６を参照して説明した任意のタイプの携帯用デバイスおよび／またはコンピューター・デバイスとして実現することができる計算デバイス例９００の種々のコンポーネントを示す。デバイス９００は、デバイス・データー９０４（例えば、受信データー、受信しつつあるデーター、ブロードキャストが予定されているデーター、データーのデーター・パケット等）の有線および／またはワイヤレス通信を可能にする通信デバイス９０２を含む。デバイス・データー９０４または他のデバイス・コンテンツは、デバイスの構成設定、デバイスに格納されているメディア・コンテンツ、および／またはデバイスのユーザーと関連のある情報を含むことができる。デバイス９００に格納されているメディア・コンテンツは、任意のタイプのオーディオ、ビデオ、および／または画像データーを含む。デバイス９００は、１つ以上のデーター入力装置９０６を含み、これを介して、ユーザー選択可能な入力、メッセージ、音楽、テレビジョン・メディア・コンテンツ、記録されたビデオ・コンテンツ、ならびに任意の他のタイプのオーディオ・ビデオ、および／または任意のコンテンツおよび／またはデーター・ソースから受信した画像データーというような、任意のタイプのデーター、メディア・コンテンツ、および／または入力を受け取ることができる。
【００３８】
[0049]  また、デバイス９００は、通信インターフェース９０８も含む。通信インターフェース９０８は、シリアルおよび／またはパラレル・インターフェース、ワイヤレス・インターフェース、任意のタイプのネットワーク・インターフェース（例えば、スタイラス１１０へのワイヤレス）、モデムのうち任意の１つ以上、ならびに任意の他のタイプの通信インターフェースとして実現することができる。通信インターフェース９０８は、デバイス９００と通信ネットワークとの間に接続および／または通信リンクを設け、これによって、他の電子デバイス、計算デバイス、および通信デバイスがデバイス９００と通信する。
【００３９】
[0050]  デバイス９００は、１つ以上のプロセッサー９１０（例えば、マイクロプロセッサー、コントローラー等のうち任意のもの）を含む。プロセッサー９１０は、デバイス９００の動作を制御し、画像取り込み制御の実施形態を実現するための種々のコンピューター実行可能命令を処理する。代わりにまたは加えて、デバイス９００には、全体的に９１２で識別される処理および制御回路と共に実装されるハードウェア、ファームウェア、または固定ロジック回路のうち任意の１つまたはその組み合わせも実装することができる。図示されていないが、デバイス９００は、このデバイス内部にある種々のコンポーネントを結合するシステム・バスまたはデーター伝送システムを含むことができる。システム・バスは、メモリー・バスまたはメモリー・コントローラー、周辺バス、ユニバーサル・シリアル・バス、および／または種々のバス・アーキテクチャーのうち任意のものを利用するプロセッサーまたはローカル・バスのような、異なるバス構造のうち任意の１つまたはその組み合わせを含むことができる。
【００４０】
[0051]  また、デバイス９００は、１つ以上のメモリー・コンポーネントのような、コンピューター読み取り可能媒体９１４も含む。その例には、ランダム・アクセス・メモリー（ＲＡＭ）、不揮発性メモリー（例えば、リード・オンリー・メモリー（ＲＯＭ）、フラッシュ・メモリー、ＥＰＲＯＭ、ＥＥＰＲＯＭ等のうち任意の１つ以上）、およびディスク記憶デバイスを含む。ディスク記憶デバイスは、任意のタイプのハード・ディスク・ドライブ、記録可能および／または書き直し可能コンパクト・ディスク（ＣＤ）、任意のタイプのディジタル・バーサタイル・ディスク（ＤＶＤ）等として実現することができる。また、デバイス９００は、大容量記憶媒体デバイス９１６も含むことができる。
【００４１】
[0052]  コンピューター読み取り可能媒体９１４は、デバイス・データー９０４、ならびに種々のデバイス・アプリケーションおよびデバイス９００の動作態様に関する任意の他のタイプの情報を格納するデーター記憶メカニズムを提供する。例えば、オペレーティング・システム９２０は、コンピューター読み取り可能媒体９１４によってコンピューター・アプリケーションとして維持し、プロセッサー９１０において実行することができる。デバイス・アプリケーション９１８は、デバイス・マネージャー（例えば、制御アプリケーション、ソフトウェア・アプリケーション、信号処理および制御モジュール、特定のデバイスに対してネーティブなコード、特定のデバイスに対するハードウェア抽象レイヤー等）を含むことができる。また、デバイス・アプリケーション９１８は、本明細書において説明した技法の実施形態を実現するための任意のシステム・コンポーネントまたはモジュールも含む。この例では、デバイス・アプリケーション９１８は、インターフェース・アプリケーション９２２および画像取り込みモジュール９２４を含む。これらは、ソフトウェア・モジュールおよび／またはコンピューター・アプリケーションとして示されている。画像取り込みモジュール９２４は、既に説明したように、画像を取り込むために用いられるソフトウェアを表す。あるいはまたは加えて、インターフェース・アプリケーション９２２および画像取り込みモジュール・ドライバ９２４は、ハードウェア、ソフトウェア、ファームウェア、またはこれらの組み合わせとして実現することができる。加えて、画像取り込みモジュール９２４は、ビデオ会議用の画像、および物体の画像をそれぞれ取り込む別々のデバイスというような、複数の入力デバイスをサポートするように構成することもできる。
【００４２】
[0053]  また、デバイス９００は、オーディオおよび／またはビデオ入力−出力システム９２６も含む。ビデオ入力−出力システム９２６は、オーディオ・データーをオーディオ・システム９２８に供給し、および／またはビデオ・データーをディスプレイ・システム９３０に供給し、例えば、画像取り込みデバイスを含むように構成することができる。オーディオ・システム９２８および／またはビデオ・システム９３０は、オーディオ、ビデオ、および画像データーを処理し、表示し、および／またはそれ以外でレンダリングする任意のデバイスを含むことができる。ビデオ信号およびオーディオ信号は、デバイス９００からオーディオ・デバイスおよび／またはディスプレイ・デバイスに、ＲＦ（無線周波）リンク、Ｓ−ビデオ・リンク、複合ビデオ・リンク、コンポーネント・ビデオ・リンク、ＤＶＩ（デジタル・ビデオ・インターフェース）、アナログ・オーディオ接続、または他の同様の通信リンクを介して伝えることができる。一実施形態では、オーディオ・システム９２８および／またはディスプレイ・システム９３０は、デバイス９００に対して外部コンポーネントとして実装される。あるいは、オーディオ・システム９２８および／またはディスプレイ・システム９３０は、デバイス例９００の統合コンポーネントとして実装される。
結論
[0054]  以上、構造的特徴および／または方法論的動作に特定の文言で本発明について説明したが、添付した特許請求の範囲に定められている発明は、必ずしも記載された特定の特徴や動作には限定されないことは言うまでもない。逆に、これら特定の特徴および動作は、特許請求する発明を実現する形態例として開示したまでである。
【図１】
2013528037.tif 000003
【図２】
2013528037.tif 000004
【図３】
2013528037.tif 000005
【図４】
2013528037.tif 000006
【図５】
2013528037.tif 000007
【図６】
2013528037.tif 000008
【図７】
2013528037.tif 000009
【図８】
2013528037.tif 000010
【図９】
2013528037.tif 000011
【国際調査報告】
2013528037.tif 000012
2013528037.tif 000013